(57)【要約】【課題】揺らぎやノイズを含んだプロセス信号からそのプロセス信号本来が持つ応答量を自動で精度良く評価するできるようにすることである。【解決手段】プロセス信号の過渡事象における揺らぎ除去後の時系列デジタル信号を初期データ算出手段１２に入力し過渡現象の評価に必要な初期データを算出する。そして、評価点算出手段１３は、時系列テジタル信号、時系列デジタル信号の信号変化率および初期データ算出手段１２で算出された初期データに基づいて過渡現象の評価に必要な評価点を算出し、評価項目応答量算出手段１４は、評価点算出手段１３で算出された評価点から過渡現象の評価項目に対する応答量を算出する。これにより、プロセス信号本来が持つ応答量を自動で精度良く評価することができる。【選択図】  図１
2004220306.tif 000002
【特許請求の範囲】
【請求項１】
プロセス信号の過渡事象における揺らぎ除去後の時系列デジタル信号を入力し過渡現象の評価に必要な初期データを算出する初期データ算出手段と、前記時系列テジタル信号、前記時系列デジタル信号の信号変化率および前記初期データ算出手段で算出された初期データに基づいて過渡現象の評価に必要な評価点を算出する評価点算出手段と、前記初期データ算出手段で算出された初期データおよび前記評価点算出手段で算出された前記評価点に基づいて過渡現象の評価項目に対する応答量を算出する評価項目応答量算出手段とを備えたことを特徴とする過渡現象自動評価装置。
【請求項２】
プロセス信号の過渡事象における揺らぎを含む時系列デジタル信号を１次有限インパルス応答フィルタ固有の遅延時間で時間補正することにより１次有限インパルス応答フィルタ出力を算出する１次有限インパルス応答フィルタ出力算出手段と、前記過渡事象における揺らぎを含む時系列デジタル信号を２次有限インパルス応答フィルタ固有の遅延時間で時間補正することにより２次有限インパルス応答フィルタ出力を算出する２次有限インパルス応答フィルタ出力算出手段と、前記１次有限インパルス応答フィルタ出力と２次有限インパルス応答フィルタ出力とを加算平均し揺らぎ除去後の時系列デジタル信号を算出する加算平均算出手段と、前記加算平均算出手段からの過渡事象における揺らぎ除去後の時系列デジタル信号を入力し過渡現象の評価に必要な初期データを算出する初期データ算出手段と、前記加算平均算出手段からの過渡事象における揺らぎ除去後の時系列テジタル信号、前記時系列デジタル信号の信号変化率および前記初期データ算出手段で算出された初期データに基づいて過渡現象の評価に必要な評価点を算出する評価点算出手段と、前記初期データ算出手段で算出された初期データおよび前記評価点算出手段で算出された前記評価点に基づいて過渡現象の評価項目に対する応答量を算出する評価項目応答量算出手段とを備えたことを特徴とする過渡現象自動評価装置。
【請求項３】
プロセス信号の過渡事象における時系列デジタル信号を所定のサンプリング数で区切った部分区間データを算出する部分区間データ算出手段と、前記部分区間データ算出手段で算出された部分区間データの変化率を算出し前記時系列デジタル信号の信号変化率として前記評価点算出手段に出力する変化率算出手段を備えたことを特徴とする請求項１または請求項２記載の過渡現象自動評価装置。
【請求項４】
プロセス信号の過渡事象における揺らぎ除去後の時系列デジタル信号およびその時系列デジタル信号の信号変化率を入力し、過渡現象の評価に必要な初期データを算出し、前記時系列テジタル信号、前記時系列デジタル信号の信号変化率および前記初期データに基づいて過渡現象の評価に必要な評価点を算出し、前記初期データおよび前記評価点に基づいて過渡現象の評価項目に対する応答量を算出することを特徴とする過渡現象自動評価方法。
【請求項５】
プロセス信号の過渡事象における揺らぎを含む時系列デジタル信号を１次有限インパルス応答フィルタ固有の遅延時間で時間補正することにより１次有限インパルス応答フィルタ出力を算出し、前記過渡事象における揺らぎを含む時系列デジタル信号を２次有限インパルス応答フィルタ固有の遅延時間で時間補正することにより２次有限インパルス応答フィルタ出力を算出し、前記１次有限インパルス応答フィルタ出力と２次有限インパルス応答フィルタ出力とを加算平均して揺らぎ除去後の時系列デジタル信号を算出し、前記過渡事象における揺らぎ除去後の時系列デジタル信号に基づいて過渡現象の評価に必要な初期データを算出し、前記過渡事象における揺らぎ除去後の時系列テジタル信号、前記時系列デジタル信号の信号変化率および初期データを入力して過渡現象の評価に必要な評価点を算出し、前記初期データおよび前記評価点に基づいて過渡現象の評価項目に対する応答量を算出することを特徴とする過渡現象自動評価方法。
【請求項６】
プロセス信号の過渡事象における時系列デジタル信号を所定のサンプリング数で区切った部分区間データを算出し、前記部分区間データの変化率を算出して前記時系列デジタル信号の信号変化率として出力することを特徴とする請求項４または請求項５記載の過渡現象自動評価方法。
【請求項７】
コンピュータを、プロセス信号の過渡事象における揺らぎ除去後の時系列デジタル信号を入力する手段と、過渡現象の評価に必要な初期データを算出する手段と、前記時系列テジタル信号、前記時系列デジタル信号の信号変化率および初期データに基づいて過渡現象の評価に必要な評価点を算出する手段と、前記初期データおよび前記評価点に基づいて過渡現象の評価項目に対する応答量を算出する手段として機能させるための過渡現象自動評価プログラム。
【発明の詳細な説明】
【０００１】
【発明の属する技術分野】
本発明は、プロセス信号の過渡変化を評価する機能を有する過渡現象自動評価装置、方法およびプログラムに関する。
【０００２】
【従来の技術】
プラントの挙動を把握することはプラントの運転にとって重要なことであり、記録したプラントのプロセス信号に基づいてその評価を行うようにしている。例えば、プロセス信号の過渡現象の評価は、過渡現象記録装置に記録されたプロセス信号のトレンドグラフを印刷出力して、そのトレンドグラフを参照しながら、信号の変化幅、オーバシュート量、応答時間等の評価項目に対して手作業により実施している。また、特定の評価項目については、過渡現象自動評価装置を用いて自動的に過渡現象の評価を行うようにしている。
【０００３】
過渡現象記録装置に記録された過渡現象の評価を行う過渡現象自動評価装置としては特願２００１−２５９２１１号に示される過渡現象自動評価装置がある。この過渡現象自動評価装置においては、プロセス信号のトレンドグラフを表示手段に表示し、表示手段に表示されたプロセス信号のトレンドグラフに対する評価点を評価点作成手段により指定すると、評価手段は指定された評価点に対して過渡現象の評価を行い評価結果を出力するようにしたものである。これにより、短時間で過渡現象の評価を得ることができるようにしている。
【０００４】
【発明が解決しようとする課題】
ところが、このような過渡現象自動評価装置においては、利用者に評価点を指定させるので、評価項目が多い場合はその作業の負担が大きくなる。また、プロセス信号に揺らぎやノイズを含む場合は、利用者によって指定する評価点が区々になり評価結果にばらつきが生じる可能性がある。
【０００５】
本発明は、揺らぎやノイズを含んだプロセス信号からそのプロセス信号本来が持つ応答量を自動で精度良く評価することができる過渡現象自動評価装置、方法およびプログラムを提供することを目的とする。
【０００６】
【課題を解決するための手段】
本発明の過渡現象自動評価装置は、プロセス信号の過渡事象における揺らぎ除去後の時系列デジタル信号を初期データ算出手段に入力し過渡現象の評価に必要な初期データを算出する。そして、評価点算出手段は、時系列テジタル信号、時系列デジタル信号の信号変化率および初期データ算出手段で算出された初期データに基づいて過渡現象の評価に必要な評価点を算出し、評価項目応答量算出手段は、評価点算出手段で算出された評価点から過渡現象の評価項目に対する応答量を算出する。これにより、プロセス信号本来が持つ応答量を自動で精度良く評価することができる。
【０００７】
ここで、プロセス信号の過渡事象における揺らぎは、必要に応じて、１次有限インパルス応答フィルタ出力算出手段および２次有限インパルス応答フィルタ出力算出手段を設けて除去する。時系列デジタル信号の信号変化率は、必要に応じて、部分区間データ算出手段で算出された部分区間データの変化率を変化率算出手段で算出する。
【０００８】
本発明の過渡現象自動評価方法は、プロセス信号の過渡事象における揺らぎ除去後の時系列デジタル信号およびその時系列デジタル信号の信号変化率を入力するステップ、過渡現象の評価に必要な初期データを算出するステップ、時系列テジタル信号、時系列デジタル信号の信号変化率および初期データに基づいて過渡現象の評価に必要な評価点を算出するステップ、評価点から過渡現象の評価項目に対する応答量を算出するステップからなる。
【０００９】
本発明の過渡現象自動評価プログラムは、コンピュータを、プロセス信号の過渡事象における揺らぎ除去後の時系列デジタル信号を入力する手段と、過渡現象の評価に必要な初期データを算出する手段と、時系列テジタル信号、時系列デジタル信号の信号変化率および初期データに基づいて過渡現象の評価に必要な評価点を算出する手段と、評価点から過渡現象の評価項目に対する応答量を算出する手段として機能させる。
【００１０】
【発明の実施の形態】
（第１の実施の形態）
図１は本発明の第１の実施の形態に係る過渡現象自動評価装置１１のブロック構成図である。過渡現象自動評価装置１１は、過渡現象の評価に必要な初期データを算出する初期データ算出手段１２と、過渡現象の評価に必要な評価点を算出する評価点算出手段１３と、過渡現象の評価項目に対する応答量を算出する評価項目応答量算出手段１４とから構成されている。
【００１１】
初期データ算出手段１２には、プロセス信号の過渡事象における揺らぎ除去後の時系列デジタル信号Ｘおよび各種の設定値が入力される。初期データ算出手段１２は、プロセス信号の過渡事象における揺らぎ除去後の時系列デジタル信号Ｘを入力し、設定値に従って過渡現象の評価に必要な初期データを算出する。
【００１２】
評価点算出手段１３には、時系列テジタル信号Ｘ、時系列デジタル信号の信号変化率Ｘ’、初期データ算出手段１２で算出された各種初期データ、指定回復量Ｘｒ、任意応答量Ｘｑが入力される。評価点算出手段１３は、これらの入力データに基づいて、過渡現象の評価に必要な評価点を算出する。
【００１３】
評価項目応答量算出手段１４には、初期データ算出手段１２で算出された初期データおよび評価点算出手段１３で算出された過渡現象の評価に必要な評価点が入力され、評価項目応答量算出手段１４は、これらの入力データに基づいて過渡現象の評価項目に対する応答量を算出する。
【００１４】
初期データ算出手段１２に設定される設定値は、過渡現象の評価を行う範囲を指定するための値であり、初期値開始時刻Ｔｓ、初期値終了時刻Ｔｓ’、整定値開始時刻Ｔｅ、整定値終了時刻Ｔｅ’、解析基準時刻Ｔａ、係数ζ等である。初期データ算出手段１２は、これらの設定値および揺らぎ除去後の時系列デジタル信号Ｘに基づいて過渡現象の評価に必要な初期データを算出する。算出される初期データは、初期値Ｘｓ、初期有意基準ζｓ、整定値Ｘｅ、整定値有意基準ζｅである。
【００１５】
図２は、プロセス信号の時系列デジタル信号Ｘに対する設定値および初期データの説明図である。図２では、初期有意基準ζｓおよび整定値有意基準ζｅの図示は省略している。初期データ算出手段１２は、初期値開始時刻Ｔｓから初期値終了時刻Ｔｓ’までの時系列デジタル信号Ｘを平均することにより初期値Ｘｓを算出すると共に、初期値Ｘｓの標準偏差に係数ζを乗算し初期値Ｘｓに加算することにより初期有意基準ζｓを算出する。同様に、整定値開始時刻Ｔｅから整定値終了時刻Ｔｅ’までの時系列デジタル信号Ｘを平均することにより整定値Ｘｅを算出すると共に、整定値Ｘｅの標準偏差に係数ζを乗算し整定値Ｘｅに加算することにより整定値有意基準ζｅを算出する。
【００１６】
次に、評価点算出手段１３は、初期データ算出手段１２で算出された各種初期データ、時系列デジタル信号の信号変化率Ｘ’、指定回復量Ｘｒおよび任意応答量Ｘｑに基づいて、過渡現象の評価に必要な各種の評価点を算出する。算出される評価点は、プロセス信号の時系列デジタル信号Ｘに対し、応答開始点Ｐ１、１０％応答点Ｐ２、９０％応答点Ｐ３、第１ピーク点Ｐ４、第２ピーク点Ｐ５、第３ピーク点Ｐ６、第４ピーク点Ｐ７、指定量回復点Ｐ８、最大変化率点Ｐ９、第１中点Ｐ１０、第２中点Ｐ１１、第３中点Ｐ１２、第４中点Ｐ１３、任意量応答点Ｐ１４である。
【００１７】
図３は、プロセス信号の時系列デジタル信号Ｘに対する設定値、初期データおよび評価点の説明図である。なお、図３では、初期有意基準ζｓ、整定値有意基準ζｅ、任意応答量Ｘｑおよび任意量応答点Ｐ１４の図示を省略している。
【００１８】
評価点算出手段１３は、まず、初期値終了時刻Ｔｓ’以降で初期有意基準ζｓを超える点から内挿する応答開始点Ｐ１を算出する。そして、応答開始点Ｐ１以降で整定値Ｘｅから初期値Ｘｓを減算した値に０．１を乗算し、初期値Ｘｓに加えた値を時系列デジタル信号Ｘが最初に超える点から内挿する１０％応答点Ｐ２を算出する。同様に、応答開始点Ｐ１以降で整定値Ｘｅから初期値Ｘｓを減算した値に０．９を乗算し初期値Ｘｓに加えた値を時系列デジタル信号Ｘが最初に超える点から内挿する９０％応答点Ｐ３を算出する。
【００１９】
次に、応答開始点Ｐ１以降で整定有意基準ζｅを超えて変化率Ｘ’が正から負となる付近で時系列デジタル信号Ｘが最大となる第１ピーク点Ｐ４、第１ピーク点Ｐ４以降で変化率Ｘ’が負から正となる付近で時系列デジタル信号Ｘが最小となる第２ピーク点Ｐ５、第２ピーク点Ｐ５以降で時系列デジタル信号Ｘが整定有意基準ζｅを超えて変化率Ｘ’が正から負となる付近で時系列デジタル信号Ｘが最大となる第３ピーク点Ｐ６、第３ピーク点Ｐ６以降で変化率Ｘ’が負から正となる付近で時系列デジタル信号Ｘが最小となる第４ピーク点Ｐ７を算出する。
【００２０】
また、第１ピーク点Ｐ４以降で時系列デジタル信号Ｘが整定値Ｘｅに指定回復量Ｘｒを加算した値を最初に下回る指定量回復点Ｐ８を算出し、応答開始点Ｐ１以降で時系列デジタル信号Ｘが整定有意基準ζｅ以下で変化率Ｘ’が最大となる最大変化率点Ｐ９を算出する。
【００２１】
さらに、応答開始点Ｐ１と第１ピーク点Ｐ４との中点を内挿する第１中点Ｐ１０、第１ピーク点Ｐ４と第２ピーク点Ｐ５との中点を内挿する第２中点Ｐ１１、第２ピーク点Ｐ５と第３ピーク点Ｐ６との中点を内挿する第３中点Ｐ１２、第３ピーク点Ｐ６と第４ピーク点Ｐ７との中点を内挿する第４中点Ｐ１３を算出する。また、図示は省略するが、応答開始点Ｐ１以降で時系列デジタル信号Ｘが初期値Ｘｓに任意応答量Ｘｑを加算した値を最初に超える点から内挿する任意応答点Ｐ１４を算出する。
【００２２】
評価項目応答量算出手段１４は、初期データ算出手段１２で算出された初期データおよび評価点算出手段１３で算出された評価点に基づいて過渡現象の評価項目に対する応答量を算出する。まず、解析基準時刻Ｔａおよび１０％応答点Ｐ２から１０％応答時間を算出し、解析基準時刻Ｔａおよび９０％応答点Ｐ３から９０％応答時間を算出する。同様に、解析基準時刻Ｔａおよび指定量回復点Ｐ８から指定量回復時間を算出し、任意量応答点Ｐ１４から任意量応答時間を算出する。
【００２３】
また、第１ピーク点Ｐ４と第３ピーク点Ｐ６との絶対値が大きい点からピーク発生時間およびその時のピーク変化量を算出し、第１ピーク点Ｐ４と第３ピーク点Ｐ６の絶対値が大きい点から整定値Ｘｅを減算することによりオーバシュート量を算出し、最大変化率点Ｐ９から最大変化率を算出する。
【００２４】
そして、減幅比１は、第３ピーク点Ｐ６から整定値Ｘｅを減算した値を第１ピーク点Ｐ４から整定値Ｘｅで減算した値で除算することにより算出する。減幅比２は、以下のようにして算出する。まず、第１ピーク点Ｐ４から時間軸に垂直に降ろした線分と、第１中点Ｐ１０と第２中点Ｐ１１とを結んだ線分とが交わるＡ点を求め、第１ピーク点Ｐ４とＡ点との距離Ｄａを求める。同様に、第３ピーク点Ｐ６から時間軸に垂直に降ろした線分と、第３中点Ｐ１２と第４中点Ｐ１３を結んだ線分とが交わるＢ点を求め、第３ピーク点Ｐ１２とＢ点との距離Ｄｂを求める。そして、Ｄａ／Ｄｂで減幅比２を算出する。
【００２５】
ここで、減幅比１は、図３に示すようにプロセス信号の時系列デジタル信号Ｘが整定値Ｘｅを挟んで変動する場合（時系列デジタル信号Ｘが初期値Ｘｓから別の値の整定値Ｘｅに整定する場合）に適用され、減幅比２は、時系列デジタル信号Ｘが整定値Ｘｅを挟むことなく変動する場合（例えば、プロセス信号に外乱が発生し時系列デジタル信号Ｘが初期値Ｘｓから初期値Ｘｓに整定する場合）に適用される。
【００２６】
以上の説明では、プロセス信号の時系列デジタル信号Ｘが初期値Ｘｓより大きな値の整定値Ｘｅに整定する場合について説明したが、初期値Ｘｓより小さな値の整定値Ｘｅに整定する場合にも同様に適用できる。この場合、「増加」を「減少」に、「加算」を「減算」に、「超える」を「下回る」に、「正」を「負」に、「負」を「正」に、「最大」を「最小」に、「最小」を「最大」に、「下回る」を「超える」に、「以下」を「以上」に読み替えることになる。
【００２７】
第１の実施の形態によれば、時系列デジタル信号Ｘとその変化率信号Ｘ’とから自動的に評価項目に対する応答量を算出することができる。従って、評価項目が多い場合であってもその作業の負担を軽減でき、利用者によって評価結果にばらつきが生じることが少なくなる。
【００２８】
（第２の実施の形態）
図４は本発明の第２の実施の形態に係る過渡現象自動評価装置１１のブロック構成図である。この第２の実施の形態は、図１に示す第１の実施の形態に対し、プロセス信号の過渡事象における揺らぎを除去するための手段として、１次有限インパルス応答フィルタ出力算出手段１５、２次有限インパルス応答フィルタ出力算出手段１６、および加算平均手段１７を追加して設けたものである。図１と同一要素には同一符号を付し重複する説明は省略する。
【００２９】
１次有限インパルス応答フィルタ出力算出手段１５は、プロセス信号の過渡事象における揺らぎを含む時系列デジタル信号を１次有限インパルス応答フィルタ固有の遅延時間で時間補正することにより１次有限インパルス応答フィルタ出力を算出するものであり、２次有限インパルス応答フィルタ出力算出手段１６は、過渡事象における揺らぎを含む時系列デジタル信号を２次有限インパルス応答フィルタ固有の遅延時間で時間補正することにより２次有限インパルス応答フィルタ出力を算出するものである。そして、加算平均算出手段１７は、１次有限インパルス応答フィルタ出力と２次有限インパルス応答フィルタ出力とを加算平均し揺らぎ除去後の時系列デジタル信号Ｘを算出し、初期データ算出手段１２に出力する。
【００３０】
１次有限インパルス応答フィルタ出力算出手段１５は揺らぎを含んだ時系列デジタル値χを１次有限インパルス応答フィルタ処理した後、フィルタ固有の遅延時間を補正した出力Ｙ１を下記式により算出する。
【００３１】
【数１】
2004220306.tif 000003
ここで、ｎは時系列データ、Ｎはフィルタ長、△ｔはサンプリング周期、Ｔはフィルタ時間（＝Ｎ×△ｔ）、Ｎｅ−１はフィルタ固有の遅延時間を表す。
【００３２】
２次有限インパルス応答フィルタ出力算出手段１６は揺らぎを含んだ時系列デジタル値χを２次有限インパルス応答フィルタ処理した後、フィルタ固有の遅延時間を補正した出力Ｙ２を下記式により算出する。
【００３３】
【数２】
2004220306.tif 000004
ここで、ｎは時系列データ、Ｎはフィルタ長、△ｔはサンプリング周期、Ｔはフィルタ時間（＝Ｎ×△ｔ）、Ｎ（１＋ｅ−１）／２はフィルタ固有の遅延時間を表す。
【００３４】
また、加算平均算出手段１７は出力Ｙ１と出力Ｙ２とを加算平均することにより、時間遅れを生ずることなく揺らぎを除去した時系列デジタル信号Ｘを算出する。図５は、揺らぎを含んだ時系列デジタル値χ、１次有限インパルス応答フィルタ出力算出手段１５の出力Ｙ１、２次有限インパルス応答フィルタ出力算出手段１６の出力Ｙ２、揺らぎ除去後の時系列デジタル信号Ｘ｛Ｘ＝（Ｙ１＋Ｙ２）／２｝の特性図であり、図５からわかるように、揺らぎを除去した時系列デジタル信号Ｘ３は、時間遅れを生ずることなく算出することができる。
【００３５】
第２の実施の形態によれば、１次有限インパルス応答フィルタ出力算出手段１５の出力Ｙ１と２次有限インパルス応答フィルタ出力算出手段１６の出力Ｙ２との平均値により、時間遅れを生ずることなく揺らぎ除去後の時系列デジタル信号Ｘを得るので、揺らぎを含んだ時系列デジタル信号χであっても、揺らぎを含んだ時系列デジタル信号χとその変化率信号Ｘ’とから自動的に精度良く評価項目に対する応答量を算出することができる。
【００３６】
（第３の実施の形態）
図６は、本発明の第３の実施の形態に係る過渡現象自動評価装置１１のブロック構成図である。この第３の実施の形態は、図２に示す第１の実施の形態に対し、プロセス信号の過渡事象における時系列デジタル信号χを所定のサンプリング数で区切った部分区間データを算出する部分区間データ算出手段１８と、部分区間データ算出手段１８で算出された部分区間データの変化率を算出し時系列デジタル信号の変化率Ｘ’として評価点算出手段１３に出力する変化率算出手段１９とを追加して設けたものである。図２と同一要素には同一符号を付し重複する説明は省略する。
【００３７】
部分区間データ算出手段１８は時系列デジタル値χを部分区間毎に区切った部分区間データに変換し、変化率算出手段１９はその部分区間データの複数個のデータを用いて下記式により変化率を求める。
【００３８】
【数３】
2004220306.tif 000005
ここで、Ｎはデータ数でｎ＋１、Δｔはサンプリング周期、ｙｎは時点ｔｎ（ｔｎ＝ＮΔｔ）のデータ値を表す。
【００３９】
第３の実施の形態によれば、時系列デジタル信号の変化率Ｘ’を複数個のデータにより算出するので、変化率Ｘ’の精度が向上する。また、揺らぎを含んだ時系列デジタル信号χから自動的に変化率Ｘ’を算出するので、入力信号として変化率信号を不要とすることができ、精度良く評価項目に対する応答量を算出することができる。
【００４０】
以上の説明は、第２の実施の形態に対し、部分区分データ算出手段１８および変化率算出手段１９を設ける場合について説明したが、第１の実施の形態に対し、部分区分データ算出手段１８および変化率算出手段１９を設けるようにしても良い。
【００４１】
上述した各実施の形態において記載した手法は、コンピュータに実行させることのできるプログラムとして、記憶媒体に記憶し各装置に応用したり、通信媒体により伝送して各種装置に適用することも可能である。
【００４２】
本発明における記憶媒体としては、磁気ディスク、フレキシブルディスク、光ディスク（ＣＤ−ＲＯＭ、ＣＤ−Ｒ、ＤＶＤなど）、光磁気ディスク（ＭＯなど）、半導体メモリなど、プログラムを記憶でき、かつコンピュータが読み取り可能な記憶媒体であれば、その記憶形式はいずれの形態であっても良い。また、ここで記憶媒体とは、コンピュータと独立した媒体に限らず、ＬＡＮやインターネットなどにより伝送されたプログラムをダウンロードして記憶または一時記憶した記憶媒体も含まれる。
【００４３】
【発明の効果】
以上説明したように、本発明によれば、プロセス信号の時系列デジタル信号から過渡現象の評価項目に対する応答量を自動で算出できるので、プロセス信号本来が持つ応答量を精度良く評価することができる。また、揺らぎを含む時系列デジタル信号においても揺らぎを適正に除去できるため、過渡現象の評価項目に対する応答量を自動で精度良く算出できる
【図面の簡単な説明】
【図１】本発明の第１の実施の形態に係る過渡現象自動評価装置のブロック構成図。
【図２】本発明の第１の実施の形態に係る過渡現象自動評価装置でのプロセス信号の時系列デジタル信号Ｘに対する設定値および初期データの説明図。
【図３】本発明の第１の実施の形態に係る過渡現象自動評価装置でのプロセス信号の時系列デジタル信号Ｘに対する設定値、初期データおよび評価点の説明図。
【図４】本発明の第２の実施の形態に係る過渡現象自動評価装置のブロック構成図。
【図５】本発明の第２の実施の形態に係る過渡現象自動評価装置での揺らぎ除去後の時系列デジタル信号Ｘの特性図。
【図６】本発明の第３の実施の形態に係る過渡現象自動評価装置のブロック構成図。
【符号の説明】
１１…過渡現象自動評価装置、１２…初期データ算出手段、１３…評価点算出手段、１４…評価項目応答量算出手段、１５…１次有限インパルス応答フィルタ出力算出手段、１６…２次有限インパルス応答フィルタ出力算出手段、１７…加算平均手段、１８…部分区間データ算出手段、１９…変化率算出手段
【図１】
2004220306.tif 000006
【図２】
2004220306.tif 000007
【図３】
2004220306.tif 000008
【図４】
2004220306.tif 000009
【図５】
2004220306.tif 000010
【図６】
2004220306.tif 000011